(57)【要約】【課題】飽きや馴化がなくリラックス効果を高めた噴流浴を実現する噴流浴装置を提供する。【解決手段】本発明の噴流浴装置は、対向する一対の短辺浴槽壁と、対向する一対の長辺浴槽壁とを有する浴槽と、一対の短辺浴槽壁のうちの一方に設けられた複数のノズルと、浴槽の内部に貯留された浴槽水を吸い込み加圧してノズルに送る加圧装置とを備え、複数のノズルは、一方の短辺浴槽壁における水平方向の中心線を挟んでその水平方向に並んで設けられ、それぞれノズル自身に近い側の長辺浴槽壁に向けて噴流の噴出を行う少なくとも一対のノズルを含む。【選択図】図１
2009153905.tif 000002
【特許請求の範囲】
【請求項１】
対向する一対の短辺浴槽壁と、対向する一対の長辺浴槽壁とを有する浴槽と、
前記一対の短辺浴槽壁のうちの一方に設けられた複数のノズルと、
前記浴槽の内部に貯留された浴槽水を吸い込み加圧して前記ノズルに送る加圧装置とを備え、
前記複数のノズルは、前記一方の短辺浴槽壁における水平方向の中心線を挟んでその水平方向に並んで設けられ、それぞれノズル自身に近い側の前記長辺浴槽壁に向けて噴流の噴出を行う少なくとも一対のノズルを含むことを特徴とする噴流浴装置。
【請求項２】
前記一対のノズルは、第１のノズルと第２のノズルとを有し、
前記一対の長辺浴槽壁は、前記第１のノズルに近い側の第１の長辺浴槽壁と前記第２のノズルに近い側の第２の長辺浴槽壁とを有し、
前記第１のノズルは、前記一方の短辺浴槽壁に対向する他方の短辺浴槽壁と前記第１の長辺浴槽壁とが形成するコーナー部に向けた方向と、前記一方の短辺浴槽壁の前記水平方向に対して略平行であり前記中心位置から前記第１の長辺浴槽壁に向かう方向と、の間の範囲内に設定された方向に噴流を噴出し、
前記第２のノズルは、前記他方の短辺浴槽壁と前記第２の長辺浴槽壁とが形成するコーナー部に向けた方向と、前記一方の短辺浴槽壁の前記水平方向に対して略平行であり前記中心位置から前記第２の長辺浴槽壁に向かう方向と、の間の範囲内に設定された方向に噴流を噴出することを特徴とする請求項１記載の噴流浴装置。
【発明の詳細な説明】
【技術分野】
【０００１】
本発明は、噴流浴装置に関する。
【背景技術】
【０００２】
従来、相対向する一対の短辺側浴槽壁のそれぞれにノズルを設け、各ノズルから対向壁方向へ直線的に水流を生じさせる浴槽がある（例えば特許文献１）。
【特許文献１】特開平７−１７８１４２号公報
【発明の開示】
【発明が解決しようとする課題】
【０００３】
従来、噴流浴装置としては、直線的な噴流を人体に当ててその刺激によるマッサージを実現するものが主であり、特に刺激をより高めるには気泡入り噴流を噴出させることが有効であることもあって噴流噴出音が騒々しく、且つ噴流刺激を人体に受けながらの入浴ということで、長時間リラックスして噴流浴を楽しむことは難しかった。
【０００４】
本発明は上述の問題に鑑みてなされ、飽きや馴化がなくリラックス効果を高めた噴流浴を実現する噴流浴装置を提供する。
【課題を解決するための手段】
【０００５】
本発明の一態様によれば、対向する一対の短辺浴槽壁と、対向する一対の長辺浴槽壁とを有する浴槽と、前記一対の短辺浴槽壁のうちの一方に設けられた複数のノズルと、前記浴槽の内部に貯留された浴槽水を吸い込み加圧して前記ノズルに送る加圧装置とを備え、前記複数のノズルは、前記一方の短辺浴槽壁における水平方向の中心線を挟んでその水平方向に並んで設けられ、それぞれノズル自身に近い側の前記長辺浴槽壁に向けて噴流の噴出を行う少なくとも一対のノズルを含むことを特徴とする噴流浴装置が提供される。
【発明の効果】
【０００６】
本発明によれば、飽きや馴化がなくリラックス効果を高めた噴流浴を実現する噴流浴装置が提供される。
【発明を実施するための最良の形態】
【０００７】
以下、図面を参照し、本発明の実施形態について説明する。
【０００８】
図１は、本発明の実施形態に係る噴流浴装置の概略構成を示す模式図である。また、図２に同噴流浴装置における浴槽４の平面図を示す。
【０００９】
本実施形態に係る噴流浴装置は、浴槽４と、加圧装置であるポンプ７と、複数のノズル（第１のノズル１１ａと第２のノズル１１ｂ）とを備える。
【００１０】
浴槽４は、略平行に対向する一対の長辺浴槽壁３ａ、３ｂと、略平行に対向する一対の短辺浴槽壁４ａ、４ｂとを有し、平面視が略矩形状または長円形状に形成されている。
【００１１】
一対の長辺浴槽壁３ａ、３ｂのうちの一方には吸入口５が形成されている。吸入口５と、ポンプ７の吸込口との間には吸込管６が接続され、ポンプ７が駆動されると、浴槽４の内部に貯留された浴槽水（湯も含む）は吸入口５から吸込管６へと吸い込まれる。
【００１２】
一般に、入浴者２００は、向かい合う一対の短辺浴槽壁４ａ、４ｂのうちの一方の短辺浴槽壁（図１に示す例では短辺浴槽壁４ｂ）に背をもたれかけて、他方の短辺浴槽壁（図１に示す例では短辺浴槽壁４ａ）に足を向けた姿勢で入浴するため、吸入口５を短辺浴槽壁４ａ、４ｂに形成した場合には、入浴者２００の背中や足裏で吸入口５がふさがれポンプ７に過剰の負荷がかかることが懸念される。したがって、吸入口５は、入浴者の身体の一部等によってふさがれにくい長辺浴槽壁３ａ、３ｂに形成するのが望ましい。
【００１３】
ポンプ７の吐出口と各ノズル１１ａ、１１ｂとの間は吐出管８で接続され、ポンプ７は、吸入口５から吸込管６内に浴槽水を吸い込むと共に、その吸い込んだ浴槽水を加圧して吐出管８に吐出する。このポンプ７から吐出された加圧浴槽水は、各ノズル１１ａ、１１ｂの内部に導入される。なお、使用していないときに、ポンプ７内部の残留水を抜くために、ポンプ７は吸入口５よりも上方に設けることが望ましい。
【００１４】
本実施形態では、一対の短辺浴槽壁４ａ、４ｂのうちの一方の短辺浴槽壁４ａに第１のノズル１１ａと第２のノズル１１ｂを取り付けている。ここで、図２の平面視において、短辺浴槽壁４ａ、４ｂの水平方向の中心を通る中心線Ｃを１点鎖線で示す。２つのノズル１１ａ、１１ｂは、その中心線Ｃを挟んでその水平方向に互いに離間して並んで設けられている。上記中心線Ｃに対する各ノズル１１ａ、１１ｂの離間距離は略同じであり、また、２つのノズル１１ａ、１１ｂの設置高さは略同じ高さである。
【００１５】
ノズル１１ａ、１１ｂが取り付けられた短辺浴槽壁４ａの上方には浴槽側水栓が設けられる。したがって、通常、入浴者２００は自然と図１に示すように、ノズル１１ａ、１１ｂが設けられた側の短辺浴槽壁４ａに足を向け、反対側の短辺浴槽壁４ｂに背をもたれかけた姿勢で入浴する。
【００１６】
ノズル１１ａ、１１ｂは、それぞれの噴出口２６を浴槽４の内部に臨ませて、浴槽４のあふれ縁より下で短辺浴槽壁４ａに保持されている。ここで、「あふれ縁」とは、浴槽４内に浴槽水をためていったとき、最初に浴槽４内から溢れる部分の浴槽４の縁（またはリム）を意味する。このような構成のため、各ノズル１１ａ、１１ｂからの噴流を浴槽水中に噴出させることができる。
【００１７】
浴槽４近傍に設けられた図示しないコントローラのスイッチを入浴者が操作すると、ポンプ７が起動し、浴槽４内に貯留された浴槽水が吸入口５から吸込管６内へと吸入される。この吸入された浴槽水は、ポンプ７にて加圧されて、吐出管８を介して、各ノズル１１ａ、１１ｂの内部に導入される。各ノズル１１ａ、１１ｂ内に導入された加圧浴槽水は、気泡を含まない噴流を、浴槽４内に貯留された浴槽水中に噴出する。
【００１８】
図２を参照して前述した短辺浴槽壁４ａの水平方向の中心を通る中心線Ｃと、第１の長辺浴槽壁３ａとの間に、第１のノズル１１ａが設けられている。この第１のノズル１１ａは、一対の長辺浴槽壁３ａ、３ｂのうち自身に近い側の第１の長辺浴槽壁３ａに向けて噴流の噴出を行う。
【００１９】
第２のノズル１１ｂは、上記中心線Ｃと、第２の長辺浴槽壁３ｂとの間に設けられている。この第２のノズル１１ｂは、一対の長辺浴槽壁３ａ、３ｂのうち自身に近い側の第２の長辺浴槽壁３ｂに向けて噴流の噴出を行う。
【００２０】
各ノズル１１ａ、１１ｂが長辺浴槽壁３ａ、３ｂに向けて噴流の噴出を行うということは、各ノズル１１ａ、１１ｂは、長辺浴槽壁３ａ、３ｂの延在方向に対して略平行な方向（長辺平行方向）には噴流を噴出しない。
【００２１】
さらに具体的には、第１のノズル１１ａは、対向する他方の短辺浴槽壁４ｂと第１の長辺浴槽壁３ａとが形成するコーナー部に向けた方向（図２において矢印ａ方向）と、自身が設けられた短辺浴槽壁４ａの水平方向に対して略平行であり中心線Ｃから第１の長辺浴槽壁３ａに向かう方向（図２における矢印ｂ方向）と、の間の範囲内（方向ａ、ｂも含む）に設定された方向に噴流を噴出する。
【００２２】
同様に、第２のノズル１１ｂは、対向する他方の短辺浴槽壁４ｂと第２の長辺浴槽壁３ｂとが形成するコーナー部に向けた方向（図２において矢印ａ方向）と、自身が設けられた短辺浴槽壁４ａの水平方向に対して略平行であり中心線Ｃから第２の長辺浴槽壁３ｂに向かう方向（図２における矢印ｂ方向）と、の間の範囲内（方向ａ、ｂも含む）に設定された方向に噴流を噴出する。
【００２３】
各ノズル１１ａ、１１ｂから前述した方向に噴流が噴出されると、図７（ａ）に模式的に示すように、浴槽４内において長辺浴槽壁３ａ、３ｂ寄りの部分を、ノズル１１ａ、１１ｂが設けられた短辺浴槽壁４ａから反対側の短辺浴槽壁４ｂに向けて流れる流れが形成される。したがって、ノズル１１ａ、１１ｂが設けられた短辺浴槽壁４ａとは反対側の短辺浴槽壁４ｂに背を向け、ノズル１１ａ、１１ｂ側に足を向けた姿勢で入浴している入浴者２００の脇をすり抜けるような流れを形成することができる。
【００２４】
また、その流れはノズル１１ａ、１１ｂから遠ざかるほど直進性を失い、入浴者２００の手前あたりで長辺浴槽壁３ａ、３ｂ側から中心線Ｃに向かう成分が大きくなり、その部分での流れの衝突により、入浴者２００の胸部や腹部といった胴部の前側には、入浴者２００側からノズル１１ａ、１１ｂ側に向かう流れを形成することができ入浴者２００の心肺等に圧迫感を与えない。
【００２５】
以上のことから、入浴者２００は、柔らかな水流につつまれたような水流のさわさわ感やゆらぎ感を感じることができ、噴流を人体に対して局所的に受けるよりも、飽き（馴化）がなく、長時間リラックスした噴流浴を楽しめる。
【００２６】
第１のノズル１１ａと第２のノズル１１ｂは、同じ高さに設置し、且つ高さ方向の噴流噴出角度（水平方向を０°の基準にした角度）を同じにすれば、第１のノズル１１ａから浴槽水中に噴流噴出されて形成された主流と、第２のノズル１１ｂから浴槽水中に噴流噴出されて形成された主流どうしが浴槽水中同じ高さ（深さ）で衝突する作用にて、その衝突部で流れの方向が比較的高めの周波数で変化することに起因するさわさわ感が得られる。なお、第１のノズル１１ａと第２のノズル１１ｂとで、上記高さ方向の噴流噴出角度が多少ずれても、それぞれのノズルからの主流は高さ（深さ）方向に、ある程度の幅を持っているので、それら主流どうしを衝突させることができ上記さわさわ感を得ることはできる。
【００２７】
２つのノズル１１ａ、１１ｂのそれぞれから、図７（ｂ）において点線で示すように、ノズル設置高さよりも上向きに噴流噴出が行われた場合には、２つの主流が長辺浴槽壁３ａ、３ｂ寄りの水面近くを他方の短辺浴槽壁４ｂに向かって流れ、その他方の短辺浴槽壁４ｂにおける水面近くで互いに衝突する。
【００２８】
２つのノズル１１ａ、１１ｂのそれぞれから、図７（ｂ）において１点鎖線で示すように、ノズル設置高さよりも下向きに噴流噴出が行われた場合には、２つの主流が長辺浴槽壁３ａ、３ｂ寄りの浴槽底面近くを他方の短辺浴槽壁４ｂに向かって流れ、その他方の短辺浴槽壁４ｂにおける底面近くで互いに衝突する。
【００２９】
上向きに噴流噴出を行った場合と下向きに噴流噴出を行った場合は、短辺浴槽壁４ｂに背中を向けている入浴者の体の前側や脇にはさわさわ感を感じさせることができるものの、浴槽水中に形成される流れ及び衝突部分が、それぞれ水面付近と底面付近とに偏ってしまうので、背中全体にさわさわ感を感じさせることは難しくなる。
【００３０】
これに対して、２つのノズル１１ａ、１１ｂを水面側及び底面側のいずれにも偏らない高さ位置に設置し、そのノズル設置高さから、図７（ｂ）において実線で示すように、ほぼ水平に噴流噴出が行われた場合には、各ノズル１１ａ、１１ｂからの主流が上方向にも下方向にも広がりながら進んで短辺浴槽壁４ｂで互いに衝突し、その衝突流は水面側及び底面側のどちらにも偏らず、背中全体に広くさわさわ感を感じさせやすい。
【００３１】
次に、図３は、図２を参照して前述した方向ａ〜方向ｂの範囲内で噴出方向を変えることができるノズルの一具体例を示す。この図３における第１のノズル５１ａは、図１、２における第１のノズル１１ａに対応する。同様に、図３における第２のノズル５１ｂは、図１、２における第２のノズル１１ｂに対応する。
【００３２】
また、第１のノズル５１ａの水平断面図を図４に示す。以下、第１のノズル５１ａについて説明していくが、第２のノズル５１ｂについても第１のノズル５１ａと同様に構成される。
【００３３】
ノズル５１ａは、保持部材５１を介して短辺浴槽壁４ａに保持されている。保持部材５１は、リング状の取付部材５３を介して短辺浴槽壁４ａに形成された開口に嵌め込まれている。
【００３４】
保持部材５１において、短辺浴槽壁４ａの外側に突出する部分には流水導入部５２が設けられている。流水導入部５２は保持部材５１の内部に通じ、その保持部材５１の内部には外形略球状の可動体５４が設けられている。可動体５４には、保持部材５１の内部空間に通じる噴出孔５６が形成され、この噴出孔５６は保持部材５１の内部空間を介して流水導入部５２と通じている。
【００３５】
保持部材５１における、浴槽内側の前端部にはガイド部材５５が設けられている。ガイド部材５５には、図３に示すように、水平方向に延びるガイド孔５５ａが形成されている。
【００３６】
噴出孔５６は円筒状の突出部５７の内部に形成されており、その突出部５７の先端側部分は、ガイド孔５５ａから浴槽内に突出し、その先端開口は噴出孔５６に連通し浴槽水中に噴流を噴出させる噴出口５６ａとして機能する。
【００３７】
可動体５４は、保持部材５１に対して回動自在に保持されているが、突出部５７がガイド孔５５ａを貫いて浴槽内に突出していることから、ガイド孔５５ａの延在方向である水平方向以外の動きが規制されている。すなわち、突出部５７は、他の方向への動きを規制されつつ水平方向のみに揺動可能となっている。突出部５７の内部には噴流孔５６が形成されているため、突出部５７が水平方向に揺動することで、水平面内での噴流噴出角度を変えることができる。
【００３８】
例えば、図４（ａ）は、噴出孔５６の軸方向が、長辺方向（長辺浴槽壁３ａ、３ｂの延在方向に対して平行な方向）から、第１のノズル５１ａに対して近い側の第１の長辺浴槽壁３ａ側に１０°傾いた場合（噴出方向が１０°）を示す。
【００３９】
図４（ａ）の状態から、突出部５７がさらに第１の長辺浴槽壁３ａ側に揺動した状態を図４（ｂ）に示す。この状態は、噴出孔５６の軸方向が短辺浴槽壁４ａの水平方向に対して平行とされ、噴出方向が前述した図２におけるｂ方向に設定された場合を示す。
【００４０】
この図３、４に示すノズル５１ａ、５１ｂは、噴出方向を切り換えるための可動部の移動が水平方向に規制されているため、使用者が突出部５７をつまんで手動で噴出角度を切り換えるにあたって、高さ方向の角度変動が生じない。したがって、２つのノズル５１ａ、５１ｂは同じ高さ位置で水平方向に噴流噴出を行い、２つの流れが衝突する確実性が増し、確実にさわさわ感を得ることができる。
【００４１】
次に、図５は、噴出方向を変えることができるノズルの他の具体例を示す。この図５における第１のノズル３１ａは、図１、２における第１のノズル１１ａに対応する。同様に、図５における第２のノズル３１ｂは、図１、２における第２のノズル１１ｂに対応する。
【００４２】
また、第１のノズル３１ａの水平断面図を図６に示す。以下、第１のノズル３１ａについて説明していくが、第２のノズル３１ｂについても第１のノズル３１ａと同様に構成される。
【００４３】
ノズル３１ａは、保持部材３２を介して短辺浴槽壁４ａに保持されている。保持部材３２は、リング状の取付部材３７を介して短辺浴槽壁４ａに形成された開口に嵌め込まれている。
【００４４】
保持部材３２において、短辺浴槽壁４ａの外側に突出する部分には流水導入部３３が設けられている。流水導入部３３は保持部材３２の内部に通じている。保持部材３２における、浴槽内側の前端部には開口３２ａが形成され、その開口３２ａに外形略球状の可動体３５が嵌り込んでいる。可動体３５には、保持部材３２の内部空間に通じる噴出孔３６が形成され、この噴出孔３６は保持部材３２の内部空間を介して流水導入部３３と通じている。噴出孔３６の先端開口は浴槽内に臨み、浴槽水中に噴流を噴出させる噴出口３６ａとして機能する。
【００４５】
この第１のノズル３１ａに対して遠い側にある第２の長辺浴槽壁３ｂ側の、開口３２ａの外周側にはガイド３４が設けられている。ガイド３４は、この第１のノズル３１ａに対して近い第１の長辺浴槽壁３ａ側に湾曲しつつ浴槽内に突出している。
【００４６】
可動体３５は、開口３２ａの内周部とガイド３４の内周部とによってガイドされつつ回動自在となっている。この可動体３５の回動によって、噴出孔３６の軸方向の角度が変わり、噴流噴出方向を変えることができる。
【００４７】
例えば、噴出孔３６の軸方向が長辺方向（長辺浴槽壁３ａ、３ｂの延在方向に対して平行な方向）となっている図６（ａ）の状態から、可動体３５を水平方向に第１の長辺浴槽壁３ａ側に回動させると、図６（ｂ）に示ように、噴出孔３６の軸方向が短辺浴槽壁４ａの水平方向に対して平行とされ、噴出方向が前述した図２におけるｂ方向となる。
【００４８】
このノズル３１ａ、３１ｂは、図３、４に示したノズル５１ａ、５１ｂのような水平方向のみの角度変更というような規制は受けず、高さ方向の角度変更も行える。したがって、使用状況や好みに応じて比較的自由に噴流噴出方向の設定を行える。
【００４９】
ここで、本発明者等は、２つのノズル１１ａ、１１ｂから３０リットル／分、５０リットル／分、８０リットル／分の流量でそれぞれ噴流を噴出させ、そのときの浴槽水中における複数箇所（図２に示すＡ〜Ｅの５箇所）の位置における水面から１００ｍｍの深さの地点の流速の時間変化を測定した。なお、本測定に用いた２つのノズル１１ａ、１１ｂとしては、前述した図３、４に示した構造のノズル５１ａ、５１ｂを用いた。
【００５０】
浴槽４全体の長手方向外寸は１６００ｍｍ、短手方向外寸は８００ｍｍとした。浴槽４の長手方向内寸（一対の短辺浴槽壁４ａ、４ｂの内壁面間の距離）は１２４０ｍｍとした。浴槽水は、内槽部底面から３８０ｍｍの高さまで溜めた。また、２つのノズル１１ａ、１１ｂは、同じ高さ（内槽部底面から１４０ｍｍの高さ）に設置し、それぞれの中心間距離が１００ｍｍになるように、短辺浴槽壁４ａ、４ｂの水平方向の中心を通る中心線Ｃを挟んで離間させた。
【００５１】
測定位置Ａは、入浴者２００が背を向ける短辺浴槽壁４ｂの内壁面と入浴者２００の背中との間における中心線Ｃ上の位置である。測定位置Ｂは、長辺浴槽壁３ｂの内壁面近傍であって短辺浴槽壁４ｂの内壁面から短辺浴槽壁４ａ側に１００ｍｍ離間した位置である。測定位置Ｃは、測定位置Ｂから短辺浴槽壁４ａ側に５２０ｍｍ離間した長辺浴槽壁３ｂの内壁面近傍位置である。測定位置Ｄは、測定位置Ｂから短辺浴槽壁４ａ側に２６０ｍｍ離間した中心線Ｃ上の位置である。測定位置Ｅは、測定位置Ｄから短辺浴槽壁４ａ側に２６０ｍｍ離間した中心線Ｃ上の位置である。
【００５２】
この測定は、以下に説明する比較例、実施例１、実施例２の３つのケースについて噴出方向を変えて行った。
【００５３】
比較例は、各ノズル１１ａ、１１ｂから、長辺浴槽壁３ａ、３ｂの延在方向に対して略平行（中心線Ｃに対して略平行）な方向（長辺方向）に噴流を噴出した場合である。
【００５４】
実施例１は、第１のノズル１１ａからは中心線Ｃに対して第１の長辺浴槽壁３ａ側に１０°傾いた方向に噴流を噴出し、第２のノズル１１ｂからは中心線Ｃに対して第２の長辺浴槽壁３ｂ側に１０°傾いた方向に噴流を噴出した場合である。
【００５５】
実施例２は、第１のノズル１１ａからは、短辺浴槽壁４ａの水平方向に対して略平行に第１の長辺浴槽壁３ａに向けた方向（図２における矢印ｂ方向）に噴流を噴出し、第２のノズル１１ｂからは、短辺浴槽壁４ａの水平方向に対して略平行であり第２の長辺浴槽壁３ｂに向けた方向（図２における矢印ｂ方向）に噴流を噴出した場合である。
【００５６】
図８の各グラフは、比較例についての、各測定位置Ａ〜Ｅにおける、ノズル噴出流量３０リットル／分、５０リットル／分、８０リットル／分ごとのそれぞれの流速の時間変化を表し、各グラフにおいて縦軸Ｙは流速（ｍ／秒）を、横軸Ｘは時間（秒）を示す。縦軸の流速において、正の値はノズル１１ａ、１１ｂからこれが設けられたのとは反対側の短辺浴槽壁４ｂに向かう方向の流れの流速を示し、負の値は正の場合とは逆方向、すなわち短辺側浴槽壁４ｂから短辺浴槽壁４ａに向かう方向の流れの流速を示す。また、横軸における時間は、ノズル１１ａ、１１ｂから吐水が行われていない状態（０秒）から吐水が開始された以降の時間経過を示す。
【００５７】
図８の測定結果から流速の確率密度を計算した結果を図９〜１１に示す。図９は噴出流量が３０リットル／分の場合を、図１０は噴出流量が５０リットル／分の場合を、図１１は噴出流量が８０リットル／分の場合を示す。
【００５８】
図９〜１１の各図において、（ａ）のグラフは測定位置Ａにおける流速の確率密度分布を示し、（ｂ）のグラフは測定位置Ｂにおける流速の確率密度分布を示し、（ｃ）のグラフは測定位置Ｃにおける流速の確率密度分布を示し、（ｄ）のグラフは測定位置Ｄにおける流速の確率密度分布を示し、（ｅ）のグラフは測定位置Ｅにおける流速の確率密度分布を示す。各グラフの横軸Ｘは流速（ｍ／秒）を示し、縦軸Ｙは流速の確率密度を示す。横軸の流速において、正の値はノズル１１ａ、１１ｂからこれが設けられたのとは反対側の短辺浴槽壁４ｂに向かう方向の流れの流速を示し、負の値は正の場合とは逆方向、すなわち短辺側浴槽壁４ｂから短辺浴槽壁４ａに向かう方向の流れの流速を示す。
【００５９】
同様に、図１２の各グラフは、実施例１についての、各測定位置Ａ〜Ｅにおける、ノズル噴出流量３０リットル／分、５０リットル／分、８０リットル／分ごとのそれぞれの流速の時間変化を表す。
【００６０】
図１２の測定結果から流速の確率密度を計算した結果を図１３〜１５に示す。図１３は噴出流量が３０リットル／分の場合を、図１４は噴出流量が５０リットル／分の場合を、図１５は噴出流量が８０リットル／分の場合を示す。図１３〜１５の各図において、（ａ）のグラフは測定位置Ａにおける流速の確率密度分布を示し、（ｂ）のグラフは測定位置Ｂにおける流速の確率密度分布を示し、（ｃ）のグラフは測定位置Ｃにおける流速の確率密度分布を示し、（ｄ）のグラフは測定位置Ｄにおける流速の確率密度分布を示し、（ｅ）のグラフは測定位置Ｅにおける流速の確率密度分布を示す。
【００６１】
同様に、図１６の各グラフは、実施例２についての、各測定位置Ａ〜Ｅにおける、ノズル噴出流量３０リットル／分、５０リットル／分、８０リットル／分ごとのそれぞれの流速の時間変化を表す。
【００６２】
図１６の測定結果から流速の確率密度を計算した結果を図１７〜１９に示す。図１７は噴出流量が３０リットル／分の場合を、図１８は噴出流量が５０リットル／分の場合を、図１９は噴出流量が８０リットル／分の場合を示す。図１７〜１９の各図において、（ａ）のグラフは測定位置Ａにおける流速の確率密度分布を示し、（ｂ）のグラフは測定位置Ｂにおける流速の確率密度分布を示し、（ｃ）のグラフは測定位置Ｃにおける流速の確率密度分布を示し、（ｄ）のグラフは測定位置Ｄにおける流速の確率密度分布を示し、（ｅ）のグラフは測定位置Ｅにおける流速の確率密度分布を示す。
【００６３】
比較例においては、図９、１０に示すように、流量が３０リットル／分、５０リットル／分の場合には、入浴者２００の脇の付近に対応する測定位置Ｂの流速確率密度のピークは０にあり、またその０付近に集中した狭い流速密度分布となっているため、脇をすり抜けるような流れによるさわさわ感を感じることができない。なお、図１１に示す流量が８０リットル／分の場合には、入浴者２００に向かって直進する流れが入浴者２００の胸部で跳ね返る現象が顕著になり、測定位置Ｂの流速確率密度が負にピークを有する、すなわち入浴者２００側から見て前方に向けて流れる成分が支配的となり、この場合でもやはり脇をすり抜ける流れによるさわさわ感は得られない。
【００６４】
また、比較例においては、いずれの流量の場合でも、入浴者２００の前方位置に対応する測定位置Ｄ、Ｅにおける流速確率密度は正側にピークを有する分布となっており、入浴者２００の胸部や腹部に向けた強い流れがあり、入浴者２００に圧迫感を与える。
【００６５】
これに対して、図１３〜１５のグラフに表される実施例１では、いずれの流量の場合でも、入浴者２００の脇の付近に対応する測定位置Ｂの流速確率密度は正にピークを有する正側に偏った分布となっており、脇をすり抜けるような流れによるさわさわ感を感じることができる。
【００６６】
また、実施例１では、いずれの流量の場合でも、入浴者２００の前方位置に対応する測定位置Ｄ、Ｅにおける流速確率密度は負側にピークを有する分布となっており、入浴者２００の前方からノズル１１ａ、１１ｂ側に向かう流れが形成されるため、入浴者２００の胸部や腹部に圧迫感を与えない。
【００６７】
同様に、図１７〜１９のグラフに表される実施例２では、いずれの流量の場合でも、入浴者２００の脇の付近に対応する測定位置Ｂの流速確率密度は正にピークを有する正側に偏った分布となっており、脇をすり抜けるような流れによるさわさわ感を感じることができる。ただし、流量の少ない３０リットル／分の場合（図１７）には、測定位置Ｂの流速確率密度のピークは０に近い値であり、他の場合よりはゆるやかに脇をすり抜ける流れとなる。
【００６８】
また、実施例２では、流量が３０リットル／分の場合（図１７）における測定位置Ｄを除いて、測定位置Ｄ、Ｅにおける流速確率密度は負側にピークを有する分布となっており、入浴者２００の前方からノズル１１ａ、１１ｂ側に向かう流れが形成されるため、入浴者２００の胸部や腹部に圧迫感を与えない。流量が３０リットル／分の場合における測定位置Ｄは流速確率密度が０にピークがあり、ほとんど流れがないため、この場合でも入浴者２００を圧迫する流れは形成されない。
【００６９】
また、本実施形態では、各ノズル１１ａ、１１ｂは気泡無しの噴流を噴出するため、噴出音を静かにでき、また大気中からノズル内に気泡が吸入されるときの音もしない。したがって、より静かな環境で前述したさわさわ感を鋭敏に感じてリラックス効果を高めることができる。
【００７０】
前述した測定位置Ａ〜Ｅのうち、入浴者２００の背中の後に位置する測定位置Ａでは、入浴者２００の両脇をすり抜けてきた流れが短辺浴槽壁４ｂに沿った方向の流れに変わってぶつかる部分である。ここで前述した測定は、長辺浴槽壁３ａ、３ｂに対して略平行な方向の流速測定であり、比較例、実施例１および実施例２共に、測定位置Ａにおける流速確率密度のピークが０にあり、すなわち長辺浴槽壁３ａ、３ｂに対して略平行な方向の流れ成分がほぼ０である。
【００７１】
しかし、測定位置Ａでは、前述したように短辺浴槽壁４ｂに沿った方向の流れの衝突があることから、その短辺浴槽壁４ｂに沿った方向（前記中心線Ｃに対して略垂直な方向）における測定位置Ａの流速を測定し、その流速確率密度分布を求めた。
【００７２】
その流速確率密度分布のグラフを図２０に示す。図２０の各グラフにおいて、横軸Ｘは流速（ｍ／秒）を、縦軸Ｙは流速の確率密度を示す。横軸における正と負の極性の違いは、流れの方向（ベクトル）が逆方向であることに対応する。
【００７３】
図２０の各グラフにおいて、「角度１０°」は、各ノズル１１ａ、１１ｂから中心線Ｃに対してそれぞれ対応する長辺浴槽壁３ａ、３ｂ側に１０°傾いた方向に噴流を噴出した上記実施例１を示し、「短辺平行」は、各ノズル１１ａ、１１ｂから図２における矢印ｂ方向に噴流を噴出した上記実施例２を示し、「長辺平行」は、各ノズル１１ａ、１１ｂから長辺浴槽壁３ａ、３ｂの延在方向に対して略平行（中心線Ｃに対して略平行）な方向に噴流を噴出した上記比較例を示す。
【００７４】
また、実施例１、２、比較例のそれぞれについて、ノズル噴出流量を８０リットル／分、５０リットル／分、３０リットル／分と変えて測定を行った。
【００７５】
また、表１は、本測定で得られた流速データの解析結果を示す。
【００７６】
【表１】
2009153905.tif 000003
【００７７】
表１において、「差」は、流速最大値と流速最小値との差を示す。「割合」は、８０リットル／分、５０リットル／分、３０リットル／分の各流量で上記「差」が最大となる値を１００％とした場合の、これに対する割合を示す。
【００７８】
また、図２１〜図２３は、横軸に流速変化の周波数（Ｈｚ）を、縦軸に流速レベル（ｄＢ）（対数表示）をとったグラフを示す。
【００７９】
図２１はノズル噴出流量８０リットル／分の場合を、図２２はノズル噴出流量５０リットル／分の場合を、図２３はノズル噴出流量３０リットル／分の場合を示す。また、各図における（ａ）のグラフは「角度１０°」の上記実施例１の場合を、（ｂ）のグラフは「短辺平行」の上記実施例２の場合を、（ｃ）のグラフは「長辺平行」の上記比較例の場合を示す。
【００８０】
図２０より、実施例１（角度１０°）及び実施例２（短辺平行）は、比較例（長辺平行）に比べて正負両範囲に比較的広い流速の確率密度分布を示し、また、表１の結果も併せると、実施例１及び実施例２は、比較例に比べて、背中の後ろにおける短辺浴槽壁４ｂに沿った方向で流れの方向が大きく変化しており、背中の後ろでのさわさわ感を感じやすいと言える。
【００８１】
また、図２１〜図２３より、比較例（長辺平行）の流速変化周波数は比較的低周波寄りであるのに対して、実施例１（角度１０°）及び実施例２（短辺平行）は比較的高めの周波数領域で流速が細かく変化しており、これにより背中の後ろでのさわさわ感を感じやすいと言える。
【００８２】
比較例（長辺平行）では、ノズル１１ａ、１１ｂからの噴出噴流が入浴者に向けて直進し、入浴者の胸部や腹部にぶつかった後、入浴者の前方側で上記中心線Ｃに対して横方向に広がるように流れて、入浴者の脇へ向かう流れ成分が少なくなるため、背後へのまわりこみも少なく、背中の後ろで流れの変化によるさわさわ感を感じにくい。
【００８３】
以上、具体例を参照しつつ本発明の実施形態について説明した。しかし、本発明は、それらに限定されるものではなく、本発明の技術的思想に基づいて種々の変形が可能である。
【００８４】
中心線Ｃを挟んで短辺浴槽壁４ａにおける水平方向に並んで設けたノズルは一対に限らず、これらとは例えば設置高さを異ならせて別の対のノズルを設けるなど、複数対設けてもよい。
【図面の簡単な説明】
【００８５】
【図１】本発明の実施形態に係る噴流浴装置の概略構成を示す模式図。
【図２】同噴流浴装置における浴槽の平面図。
【図３】同噴流浴装置におけるノズルの一具体例を示す模式図。
【図４】図３に示すノズルの水平断面図。
【図５】同噴流浴装置におけるノズルの他の具体例を示す模式図。
【図６】図５に示すノズルの水平断面図。
【図７】同噴流浴装置における一対のノズルから噴出された噴流の浴槽水中での流れを示す模式図。
【図８】比較例についての、各測定位置Ａ〜Ｅにおける、ノズル噴出流量３０リットル／分、５０リットル／分、８０リットル／分ごとのそれぞれの流速の時間変化を示すグラフ。
【図９】比較例において、噴流噴出流量３０リットル／分の場合の各測定位置Ａ〜Ｅにおける流速の確率密度分布を示すグラフ。
【図１０】比較例において、噴流噴出流量５０リットル／分の場合の各測定位置Ａ〜Ｅにおける流速の確率密度分布を示すグラフ。
【図１１】比較例において、噴流噴出流量８０リットル／分の場合の各測定位置Ａ〜Ｅにおける流速の確率密度分布を示すグラフ。
【図１２】実施例１についての、各測定位置Ａ〜Ｅにおける、ノズル噴出流量３０リットル／分、５０リットル／分、８０リットル／分ごとのそれぞれの流速の時間変化を示すグラフ。
【図１３】実施例１において、噴流噴出流量３０リットル／分の場合の各測定位置Ａ〜Ｅにおける流速の確率密度分布を示すグラフ。
【図１４】実施例１において、噴流噴出流量５０リットル／分の場合の各測定位置Ａ〜Ｅにおける流速の確率密度分布を示すグラフ。
【図１５】実施例１において、噴流噴出流量８０リットル／分の場合の各測定位置Ａ〜Ｅにおける流速の確率密度分布を示すグラフ。
【図１６】実施例２についての、各測定位置Ａ〜Ｅにおける、ノズル噴出流量３０リットル／分、５０リットル／分、８０リットル／分ごとのそれぞれの流速の時間変化を示すグラフ。
【図１７】実施例２において、噴流噴出流量３０リットル／分の場合の各測定位置Ａ〜Ｅにおける流速の確率密度分布を示すグラフ。
【図１８】実施例２において、噴流噴出流量５０リットル／分の場合の各測定位置Ａ〜Ｅにおける流速の確率密度分布を示すグラフ。
【図１９】実施例２において、噴流噴出流量８０リットル／分の場合の各測定位置Ａ〜Ｅにおける流速の確率密度分布を示すグラフ。
【図２０】比較例、実施例１、２のそれぞれについて、測定位置Ａにおける短辺浴槽壁に沿った方向の流速確率密度分布を示すグラフ。
【図２１】比較例、実施例１、２のそれぞれについて、噴流噴出流量８０リットル／分の場合の測定位置Ａにおける流速変化の周波数と流速レベルとの関係を示すグラフ。
【図２２】比較例、実施例１、２のそれぞれについて、噴流噴出流量５０リットル／分の場合の測定位置Ａにおける流速変化の周波数と流速レベルとの関係を示すグラフ。
【図２３】比較例、実施例１、２のそれぞれについて、噴流噴出流量３０リットル／分の場合の測定位置Ａにおける流速変化の周波数と流速レベルとの関係を示すグラフ。
【符号の説明】
【００８６】
３ａ…第１の長辺浴槽壁、３ｂ…第２の長辺浴槽壁、４…浴槽、４ａ，４ｂ…短辺浴槽壁、５…吸入口、７…加圧装置（ポンプ）、１１ａ…第１のノズル、１１ｂ…第２のノズル、２６…噴出口
【図１】
2009153905.tif 000004
【図２】
2009153905.tif 000005
【図３】
2009153905.tif 000006
【図４】
2009153905.tif 000007
【図５】
2009153905.tif 000008
【図６】
2009153905.tif 000009
【図７】
2009153905.tif 000010
【図２０】
2009153905.tif 000011
【図８】
2009153905.tif 000012
【図９】
2009153905.tif 000013
【図１０】
2009153905.tif 000014
【図１１】
2009153905.tif 000015
【図１２】
2009153905.tif 000016
【図１３】
2009153905.tif 000017
【図１４】
2009153905.tif 000018
【図１５】
2009153905.tif 000019
【図１６】
2009153905.tif 000020
【図１７】
2009153905.tif 000021
【図１８】
2009153905.tif 000022
【図１９】
2009153905.tif 000023
【図２１】
2009153905.tif 000024
【図２２】
2009153905.tif 000025
【図２３】
2009153905.tif 000026